(57)【要約】【課題】十分な防水機能を確保すると共に、部品点数を少なくすると同時に組み付け工数を少なくして、経済的に有利になるようにする。【解決手段】屋根４の棟部分に設けた屋根開口部７の上方に、棟を挟む一対の屋根面４ａ，４ｂ間に跨るように設けられる換気棟であって、上部材１３と下部材１４とを備え、上部材１３と下部材１４との間に、上部材１３又は下部材１４から突出した防水桟２７が設けられて、上部材１３と下部材１４との間に、迂回した排気通路２９が形成された換気棟において、上部材１３又は下部材１４の少なくとも一方が、前記防水桟２７と一体に形成されている。【選択図】      図２
2004244916.tif 000002
【特許請求の範囲】
【請求項１】
屋根（４）の棟部分に設けた屋根開口部（７）の上方に、棟を挟む一対の屋根面（４ａ，４ｂ）間に跨るように設けられる換気棟であって、上部材（１３）と下部材（１４）とを備え、上部材（１３）と下部材（１４）との間に、上部材（１３）又は下部材（１４）から突出した防水桟（２７）が設けられて、上部材（１３）と下部材（１４）との間に、迂回した排気通路（２９）が形成された換気棟において、
上部材（１３）又は下部材（１４）の少なくとも一方が、前記防水桟（２７）と一体に形成されていることを特徴とする換気棟。
【請求項２】
前記上部材（１３）と下部材（１４）と防水桟（２７）とが一体に形成されていることを特徴とする請求項１に記載の換気棟。
【発明の詳細な説明】
【０００１】
【発明の属する技術分野】
本発明は、住宅等の屋根に設置される換気棟に関する。
【０００２】
【従来の技術】
住宅等の屋根に設置される換気棟には、図１２に示すように、屋根６１の棟部分に設けた屋根開口部６２の上方に、棟を挟む一対の屋根面間に跨るように設けられ、一対の傾斜部６４ａ，６４ｂを有する上部材６４と、一対の下部材６５とを備え、水の侵入を防ぐ方法として、ラビリンス構造を採るために、上部材６４と下部材６５との間に、上部材６４又は下部材６５から突出した防水桟６７が設けられて、上部材６４と一対の下部材６５との間に、迂回した排気通路６８が形成され、例えば上部材６４の軒側端部に排気口７０が設けられ、下部材６５の棟側端部に連通口７１が設けられ、屋根開口部６２からの空気を、連通口７１から迂回した排気通路６８を通して排気口７０から外部に排出するようにしたものがある（例えば特許文献１、特許文献２）。
【０００３】
この種の従来の換気棟は、同図に示すように、防水桟６７を、上部材６４及び下部材６５とは別体に形成し、上部材６４又は下部材６５に、連結部材７２を介してリベットやボルトナット等の連結具７３で連結固定していた。
【０００４】
【特許文献１】
特開２００１−２５４４９２号公報
【特許文献２】
特開２００２−１６１６１５号公報
【特許文献３】
特開平１１−２１０１０４号公報
【特許文献４】
特開平１１−１９００７７号公報
【０００５】
【発明が解決しようとする課題】
しかし、従来の換気棟では、防水桟６７を多くすればするほど、水の侵入を防ぐ効果は高くなるが、部品点数が多くなるし、組み付け工数も増えることになり、経済的に不利となった。
本発明は上記問題点に鑑み、十分な防水機能を確保すると共に、部品点数を少なくすると同時に組み付け工数を少なくして、経済的に有利になるようにしたものである。
【０００６】
【課題を解決するための手段】
この技術的課題を解決するための本発明の技術的手段は、屋根４の棟部分に設けた屋根開口部７の上方に、棟を挟む一対の屋根面４ａ，４ｂ間に跨るように設けられる換気棟であって、上部材１３と下部材１４とを備え、上部材１３と下部材１４との間に、上部材１３又は下部材１４から突出した防水桟２７が設けられて、上部材１３と下部材１４との間に、迂回した排気通路６８が形成された換気棟において、
上部材１３又は下部材１４の少なくとも一方が、前記防水桟２７と一体に形成されている点にある。
【０００７】
また、本発明の他の技術的手段は、前記上部材１３と下部材１４と防水桟２７とが一体に形成されている点にある。
【０００８】
【発明の実施の形態】
以下、本発明を図示の実施の形態に従って説明する。
図１において、１は棟木、２は垂木、３は野地板で、棟木１と垂木２とで組み上げた屋根４の骨組上に張り付けられている。野地板３の上面に、アスファルトルーフィング等の防水シート５が敷かれ、その上にストレート瓦等の屋根材６が葺かれている。
屋根４の棟部分に、野地板３及び屋根材６等を切り欠いてなる屋根開口部７が設けられ、この屋根開口部７の上方に、棟を挟む一対の屋根面４ａ，４ｂ間に跨るように換気棟１１が設けられている。なお、８は屋根開口部７に対応して設けた水切り部材である。
【０００９】
図１〜図３において、前記換気棟１１は、板金製の上部材（換気棟板）１３と板金製の左右一対の下部材（棟板受け）１４とを備えている。
上部材１３は、一対の屋根面４ａ，４ｂに沿うように山形状に形成された一対の傾斜部１５と、一対の傾斜部１５の外側端から下方に突出された一対の起立部１６と、一対の起立部１６の下端から屋根面４ａ，４ｂに添うように屋根流れ方向に突出された一対の設置部１７とを有している。換気棟板１３の設置部１７の外端部に、下側にＵ字状に折り返してなる折り返し部１９が設けられ、上部材１３の起立部１６に排気口２０が設けられている。
【００１０】
下部材１４は、一対の傾斜部１５の外側部側（軒側）の下方にそれぞれ配置され、防水材２２を介して屋根面４ａ，４ｂ上に設置されている。各下部材１４は、傾斜部１５に対向する受け板部２３を有し、受け板部２３の外側端側に、上部材１３の設置部１７の下面側に沿うように、屋根流れ方向に突出した突出板部２４が設けられている。下部材１４の受け板部２３の下面に、防水材２２が貼り付けられている。また、突出板部２４の突出端部が、換気棟板１３の折り返し部１９に所定間隔（僅かな隙間）をあけて差し込まれ（嵌合され）、これにより、下部材１４上の水が突出板部２４を伝わって折り返し部１９から屋根面４ａ，４ｂ上に排出されるようになっている。
【００１１】
上部材１３と一対の下部材１４との間に、上部材１３又は下部材１４から突出した防水桟２７が複数設けられて、上部材１３と下部材１４との間に、迂回した排気通路２９が形成され、屋根開口部７からの空気を、排気通路２９を通して排気口２０から外部に排出するように構成されている。
図３に示すように、前記下部材１４と複数の防水桟２７とは、１枚の板金を複数回折り返してなる構成部材２８により一体に形成され、構成部材２８は、下部材１４及び複数の防水桟２７の他に、各防水桟２７を連結する複数のＬ字状の連結体３０を有し、各連結体３０は、上部材１３の傾斜部１５又は下部材１４の受け板部２３に接当される接当片３１と、接当片３１から下方又は上方に突出した突出片３２とを有し、各連結体３０の突出片３２に挿通口３３が設けられている。複数の挿通口３３は交互に上下に変位しており、これにより、排気通路２９は上下に変動を繰り返す迂回した通路になっている。
【００１２】
図２に示すように、構成部材２８の１つの接当片２９が、リベット、ビス等の締付具３７によって、上部材１３の傾斜部１５に、締め付け固定されている。また、構成部材２８の他の１つの接当片３１は、下部材１５と共に釘等の固定具３８により、屋根面４ａ，４ｂに固定されている。
上記実施の形態によれば、換気棟１１を組み立てる場合、まず、上部材１４を板金等により形成すると共に、上部材１４とは別体に、構成部材２８を板金により形成し、上部材１３の傾斜部１５に構成部材２８の１つの接当片３１をリベット等の締付具３７により締め付け固定すると共に、下部材１４の突出板部３１の端部を換気棟板１３の折り返し部１９に嵌合して、上部材１４と構成部材２８（下部材１４及び防水桟２７）とを組み付ければよい。
【００１３】
従って、水の侵入を防ぐ効果を高くするために、防水桟６７を多くしても、部品点数が多くなるようなことはなくなり、換気棟１１の組み付け工数も少なくなり、非常に経済的になる。
なお、屋根面への換気棟１１の取付は、構成部材２８（下部材１４）を、防水材２２を介して屋根面４ａ，４ｂ上に載置し、釘等の固定具３８を、上部材１３、構成部材２８及び屋根面４ａ，４ｂに打ち付け、これにより、釘等の固定具３８によって上部材１３及び構成部材２８を屋根面４ａ，４ｂに固定すればよい。
【００１４】
換気棟１１の取付け後には、屋根開口部７から排出された排気は、図２に矢印ａで示す如く、構成部材２８の挿通口３３を順次通って、上部材１３の排気口２０から外部に排気される。そして、排気口２０から上部材１３と下部材１４との間に侵入した雨水等の水は、複数の防水材２２によって下部材１４の棟側に侵入するのが阻止され、下部材１４上に侵入した水は、下部材１４の突出板部３１を伝わって、折り返し部１９から屋根面４ａ，４ｂ上に排出される。
図４は他の実施形態を示し、構成部材２８の軒側の防水桟２７の上端部に、屋根流れ方向の軒側に突出した突出片４１を設け、この突出片４１と軒側の防水桟２７とで、軒側から棟側に向けて没入した袋状部４２が形成されている。この袋状部４２は、上部材１４の排気口２０の棟側に対応して配置されており、排気口２０から侵入する外気による風の勢いを堰き止めるようになっている。その他の点は前記図１〜図３の実施の形態の場合と同様の構成である。
【００１５】
上記実施の形態では、前記図１〜図３の実施の形態の場合と同様の作用効果を奏する。しかも、排気口２０から侵入する外気による風の勢いを袋状部４２により効果的に抑制することができて、排気口２０から雨水等の水が侵入するのを防ぐと共に、袋状部４２の突出片４１によって、袋状部４２よりも棟側に水が侵入するのを止めることができ、より防水効果を高めることができる。また、袋状部４２を、構成部材２８により下部材１４及び複数の防水桟２７と一体に形成することができ、袋状部４２の形成によって部品点数が増加することもなく、経済的である。
【００１６】
図５は他の実施形態を示し、構成部材２８の棟側端部であって下部材１４の棟側端部と棟側の防水桟２７との間に、下部材１４の棟側端部から棟側に突出された後に上側に折り返されて防水桟２７に連結された突出部４４が設けられている。その他の点は前記図１〜図３の実施形態の場合と同様の構成である。
上記実施の形態によれば、突出部４４により、下部材１４と棟側の防水桟２７と間の折り曲げ加工が簡単になり、構成部材２８の製造がより容易になし得るようになる。
【００１７】
なお、前記実施の形態等の場合、図５に２点鎖線で示すように、構成部材２８の棟側端部であって棟側の連結体３０の接当片３１と突出片３２との間に、接当片３１の棟側端部から棟側に突出された後に下側に折り返されて接当片３１に連結された突出部４４を設けるようにしてもよい。
また、図５に２点鎖線で示すように、下部材１４の突出板部２４の下側に防水シート５１を配置して、釘等の固定具５２によって換気棟板１３の設置部１７と下部材１４の突出板部２４とを止めるようにしてもよい。
【００１８】
また、図５に２点鎖線で示すように、下部材１４の受け板部２３の軒側に水抜き孔５３を設け、矢印ａで示す方向に水抜きできるようにしてもよい。
図６及び図７は他の実施形態を示し、上部材１３と下部材１４と複数の防水桟２７とを、構成部材２８により一体に形成したものであり、上部材１３の設置部１７と下部材１４の突出板部２４とは一体に連結されて互いに重合するように折り返されている。また、前記実施の形態の場合と同様に、構成部材２８は、上部材１３、下部材１４及び複数の防水桟２７の他に、各防水桟２７を連結する複数の連結体３０を有し、各連結体３０は、上部材１３の傾斜部１５又は下部材１４に接当される接当片３１と、接当片３１から下方又は上方に突出した突出片３２とを有し、各連結体３０の突出片３２に挿通口３３が設けられている。複数の挿通口３３は交互に上下に変位しており、これにより、排気通路２９は上下に変動を繰り返す迂回した通路になっている。
【００１９】
上記実施の形態によれば、上部材１３、下部材１４及び複数の防水桟２７が板金の折り曲げ加工によって、一体に形成されるので、換気棟の主要部分は１つの構成部材２８によって形成することができ、より一層部品点数が少なくなって、換気棟１１の組み付け工数も少なくなり、より一層経済的になる。
図８は他の実施形態を示し、構成部材２８の軒側の防水桟２７の上端部に、屋根流れ方向の軒側に突出した突出片４１が設けられ、この突出片４１と軒側の防水桟２７とで、軒側から棟側に向けて没入した袋状部４２が形成されている。この袋状部４２は、上部材１４の排気口２０の棟側に対応して配置されており、排気口２０から侵入する外気による風の勢いを堰き止めるようになっている。その他の点は前記図６及び図７の実施の形態の場合と同様の構成である。
【００２０】
上記実施の形態では、排気口２０から侵入する外気による風の勢いを袋状部４２により効果的に抑制することができて、排気口２０から雨水等の水が侵入するのを防ぐと共に、袋状部４２の突出片４１によって、袋状部４２よりも棟側に水が侵入するのを止めることができ、より防水効果を高めることができるし、袋状部４２を、構成部材２８により下部材１４及び複数の防水桟２７と一体に形成することができ、袋状部４２の形成によって部品点数が増加することもなく、経済的である。
【００２１】
図９及び図１０は他の実施形態を示し、上部材１３と下部材１４と複数の防水桟２７とを、構成部材２８により一体に形成したものであり、構成部材２８は、板金を折り曲げて形成され、上部材１３、下部材１４及び防水桟２７の他に、防水桟２７を連結するＬ字状の連結体３０を有し、連結体３０は、上部材１３の傾斜部１５に接当される接当片３１と、接当片３１から下方に突出した突出片３２とを有し、連結体３０の突出片３２に挿通口３３が設けられている。軒側の防水桟２７に屋根流れ方向の軒側に突出した突片４６が設けられている。
【００２２】
上部材１３の傾斜部１５の軒側に、複数（図例では２個）の排気孔４８が屋根流れ方向に連続するように設けられ、この連続する複数（２個）ずつの換気孔４８が、棟方向に間隔をおいて複数設けられている。各換気孔４８は、傾斜部１５に風避け片４９を下方に切り起こすことにより形成され、風避け片４９は円弧状に湾曲形成されている。その他の点は前記実施の形態の場合と同様の構成である。なお、この場合、図示省略しているが、排気孔４８から下部材１４上に侵入した雨水等の水を屋根面４ａ、４ｂ上に排出するために、下部材１４の突出板部２４の軒側端部等に排水孔を設けるようにすればよい。また、固定具３８に外嵌したゴム等のスペーサ５４を設けるようにしてもよい。
【００２３】
上記実施の形態によれば、前記実施の形態の場合と同様に、上部材１３、下部材１４及び複数の防水桟２７が板金の折り曲げ加工によって、一体に形成されるので、換気棟１１の主要部分は１つの構成部材２８によって形成することができ、より一層部品点数が少なくなって、換気棟１１の組み付け工数も少なくなり、より一層経済的になる。
図１１は他の実施形態を示し、一対の下部材１４と複数の防水桟２７とを、構成部材２８により一体に形成したものであり、構成部材２８は、板金を折り曲げて形成され、一対の下部材１４及び防水桟２７の他に、防水桟２７を連結するＬ字状の連結体３０と、左右に対応する棟側の防水桟２７同士を連結する連結体５５と、下部材１４と軒側の防水桟２７とを連結する折り返し体５７とを有し、連結体３０及び連結体５５にそれぞれ挿通口３３が設けられている。その他の点は前記実施の形態の場合と同様の構成である。なお、上部材１３と構成部材２８とはリベット等の締結具３７により連結固定され、上部材１３及び構成部材２８は、釘等の固定具３８により図示省略の屋根面４ａ，４ｂに固定される。
【００２４】
上記実施の形態によれば、前記実施の形態の場合と同様に、一対の下部材１４及び複数の防水桟２７が板金の折り曲げ加工によって、一体に形成されるので、部品点数が少なくなって、換気棟１１の組み付け工数も少なくなり、経済的になる。
なお、前記実施の形態では、下部材１４と防水桟２７とを一体に形成し、又は上部材１３と下部材１４と防水桟２７とを一体に形成しているが、これに代え、上部材１３と防水桟２７とを一体に形成し、これらと下部材１４とを別体に形成するようにしてもよい。
【００２５】
【発明の効果】
本発明によれば、防水桟２７によって十分な防水機能を確保することができる。しかも、部品点数を少なくすると同時に組み付け工数を少なくして、経済的に有利になる。
【図面の簡単な説明】
【図１】本発明の一実施の形態を示す換気棟の概略断面図である。
【図２】同換気棟の一端部側の断面図である。
【図３】同構成部材の斜視図である。
【図４】他の実施形態を示す換気棟の一端部側の断面図である。
【図５】他の実施形態を示す換気棟の一端部側の断面図である。
【図６】他の実施形態を示す換気棟の概略断面図である。
【図７】同換気棟の一端部側の断面図である。
【図８】他の実施形態を示す換気棟の一端部側の断面図である。
【図９】他の実施形態を示す換気棟の概略断面図である。
【図１０】同換気棟の一端部側の断面図である。
【図１１】他の実施形態を示す換気棟の概略断面図である。
【図１２】従来例を示す換気棟の概略断面図である。
【符号の説明】
４      屋根
４ａ    屋根面
４ｂ    屋根面
７      屋根開口部
１１    換気棟
１３    上部材
１４    下部材
２７    防水桟
２９    排気通路
【図１】
2004244916.tif 000003
【図２】
2004244916.tif 000004
【図３】
2004244916.tif 000005
【図４】
2004244916.tif 000006
【図５】
2004244916.tif 000007
【図６】
2004244916.tif 000008
【図７】
2004244916.tif 000009
【図８】
2004244916.tif 000010
【図９】
2004244916.tif 000011
【図１０】
2004244916.tif 000012
【図１１】
2004244916.tif 000013
【図１２】
2004244916.tif 000014